【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
圧着部を備える端子を電線に圧着する圧着時に端子を位置決めしつつ保持する端子ホルダであって、
前記端子における前記圧着部と異なる部分を保持可能な保持部が設けられた基体と、
前記保持部に保持された前記端子の長手方向に沿った先端面に突き当て可能に、かつ前記保持部に対して接近離間移動可能に設けられた位置決め部と、
前記位置決め部を前記保持部に接近する向きに付勢する付勢部と、
を備え、
前記基体には端子収容凹部及び付勢部材収容凹部が形成され、
前記端子収容凹部には前記端子における前記圧着部と異なる部分が収まることが可能であり、
前記付勢部材収容凹部には前記付勢部が収まっている、端子ホルダ。
【請求項２】
請求項１に記載の端子ホルダであって、
前記保持部は、長手方向と交差する方向に並ぶ複数の前記端子を個別に保持可能である、端子ホルダ。
【請求項３】
請求項１又は請求項２に記載の端子ホルダと、
前記端子ホルダが保持する前記端子を挟み込んで前記電線に圧着するための金型と、
を備える、端子圧着装置。
【請求項４】
請求項３に記載の端子圧着装置であって、
前記電線を支持した状態の支持治具を、前記支持治具に支持された前記電線の端部が前記金型に対応する位置に位置するように装着可能な支持治具装着部をさらに備える、端子圧着装置。
【請求項５】
請求項４に記載の端子圧着装置であって、
前記支持治具は、一のシースで覆われている複数の前記電線を、前記シースから露出する各端部が前記金型に対応する位置に位置するように支持可能である、端子圧着装置。
【請求項６】
請求項３から請求項５のいずれか１項に記載の端子圧着装置であって、
作業者が力を入力可能な入力部と、
前記入力部に入力された力を、前記金型における上型及び下型を接近離間方向に相対移動させる力に変換する変換部と、
をさらに備える、端子圧着装置。
【請求項７】
請求項６に記載の端子圧着装置であって、
前記入力部は、作業者が手で握ることが可能に形成されると共に開閉作動させることが可能に形成された２つの棒状ハンドル部を含み、
前記変換部は、前記２つの棒状ハンドル部の開閉作動を前記上型及び前記下型の接近離間方向への相対移動に変換する、端子圧着装置。
【請求項８】
請求項３から請求項５のいずれか１項に記載の端子圧着装置であって、
前記金型における上型及び下型を接近及び離間移動させる駆動部をさらに備える、端子圧着装置。
【請求項９】
請求項４又は請求項５に記載の端子圧着装置であって、
前記金型における上型及び下型を接近及び離間移動させる駆動部をさらに備え、
前記支持治具装着部が前記上型に対して前記長手方向にスライド移動可能に設けられている、端子圧着装置。
【手続補正２】
【補正対象書類名】明細書
【補正対象項目名】発明の名称
【補正方法】変更
【補正の内容】
【発明の名称】端子ホルダおよび端子圧着装置
【手続補正３】
【補正対象書類名】明細書
【補正対象項目名】０００９
【補正方法】変更
【補正の内容】
【０００９】
上記課題を解決するため、第１の態様に係る端子ホルダは、圧着部を備える端子を電線に圧着する圧着時に端子を位置決めしつつ保持する端子ホルダであって、前記端子における前記圧着部と異なる部分を保持可能な保持部が設けられた基体と、前記保持部に保持された前記端子の長手方向に沿った先端面に突き当て可能に、かつ前記保持部に対して接近離間移動可能に設けられた位置決め部と、前記位置決め部を前記保持部に接近する向きに付勢する付勢部と、を備え、前記基体には、端子収容凹部及び付勢部材収容凹部が形成され、前記端子収容凹部には前記端子における前記圧着部と異なる部分が収まることが可能であり、前記付勢部材収容凹部には前記付勢部が収まっている。
【手続補正４】
【補正対象書類名】明細書
【補正対象項目名】００１０
【補正方法】変更
【補正の内容】
【００１０】
第２の態様に係る端子ホルダは、第１の態様に係る端子ホルダであって、前記保持部は、長手方向と交差する方向に並ぶ複数の前記端子を個別に保持可能である。
第３の態様に係る端子圧着装置は、第１又は第２の態様に係る端子ホルダと、前記端子ホルダが保持する前記端子を挟み込んで前記電線に圧着するための金型と、を備える。
第４の態様に係る端子圧着装置は、第３の態様に係る端子圧着装置であって、前記電線を支持した状態の支持治具を、前記支持治具に支持された前記電線の端部が前記金型に対応する位置に位置するように装着可能な支持治具装着部をさらに備える。
【手続補正５】
【補正対象書類名】明細書
【補正対象項目名】００１１
【補正方法】変更
【補正の内容】
【００１１】
第５の態様に係る端子圧着装置は、第４の態様に係る端子圧着装置であって、前記支持治具は、一のシースで覆われている複数の前記電線を、前記シースから露出する各端部が前記金型に対応する位置に位置するように支持可能である。
【手続補正６】
【補正対象書類名】明細書
【補正対象項目名】００１２
【補正方法】変更
【補正の内容】
【００１２】
第６の態様に係る端子圧着装置は、第３から第５のいずれか１つの態様に係る端子圧着装置であって、作業者が力を入力可能な入力部と、前記入力部に入力された力を、前記金型における上型及び下型を接近離間方向に相対移動させる力に変換する変換部と、をさらに備える。
【手続補正７】
【補正対象書類名】明細書
【補正対象項目名】００１３
【補正方法】変更
【補正の内容】
【００１３】
第７の態様に係る端子圧着装置は、第６の態様に係る端子圧着装置であって、前記入力部は、作業者が手で握ることが可能に形成されると共に開閉作動させることが可能に形成された２つの棒状ハンドル部を含み、前記変換部は、前記２つの棒状ハンドル部の開閉作動を前記上型及び前記下型の接近離間方向への相対移動に変換する。
【手続補正８】
【補正対象書類名】明細書
【補正対象項目名】００１４
【補正方法】変更
【補正の内容】
【００１４】
第８の態様に係る端子圧着装置は、第３から第５のいずれか１つの態様に係る端子圧着装置であって、前記金型における上型及び下型を接近及び離間移動させる駆動部をさらに備える。
【手続補正９】
【補正対象書類名】明細書
【補正対象項目名】００１５
【補正方法】変更
【補正の内容】
【００１５】
第９の態様に係る端子圧着装置は、第４又は第５の態様に係る端子圧着装置であって、前記金型における上型及び下型を接近及び離間移動させる駆動部をさらに備え、前記支持治具装着部が前記上型に対して前記長手方向にスライド移動可能に設けられている。
【手続補正１０】
【補正対象書類名】明細書
【補正対象項目名】００１８
【補正方法】変更
【補正の内容】
【００１８】
特に、第６の態様によると、人力によって作動する端子圧着装置の場合でも、端子の位置決め精度の向上を図ることを可能にしつつ、圧着時に端子が長手方向に沿って伸びることを許容することができる。
【手続補正１１】
【補正対象書類名】明細書
【補正対象項目名】００１９
【補正方法】変更
【補正の内容】
【００１９】
特に、第７の態様によると、端子圧着装置が手で持って作業するいわゆるハンドツールタイプである場合でも、端子の位置決め精度の向上を図ることを可能にしつつ、圧着時に端子が長手方向に沿って伸びることを許容することができる。
【手続補正１２】
【補正対象書類名】明細書
【補正対象項目名】００２０
【補正方法】変更
【補正の内容】
【００２０】
第４の態様によると、電線の位置決め精度の向上を図ることができる。
【手続補正１３】
【補正対象書類名】明細書
【補正対象項目名】００２１
【補正方法】変更
【補正の内容】
【００２１】
特に、第８又は第９の態様によると、駆動部によって作動する端子圧着装置の場合でも、端子の位置決め精度の向上を図ることを可能にしつつ、圧着時に端子が長手方向に沿って伸びることを許容することができる。
【手続補正１４】
【補正対象書類名】明細書
【補正対象項目名】００２２
【補正方法】変更
【補正の内容】
【００２２】
特に第９の態様によると、端子ホルダへ端子を供給する際に、支持治具装着部を上型に対して長手方向に移動した状態で供給することによって、供給作業が容易となる。
【手続補正１５】
【補正対象書類名】明細書
【補正対象項目名】００９６
【補正方法】変更
【補正の内容】
【００９６】
駆動部１３０は、金型における上型４２及び下型１５２を接近離間方向に相対移動させる。ここでは駆動部１３０は、駆動源１３２と伝達機構とを備える。駆動源１３２は、フレーム１２２に固定されている。駆動源１３２は、シリンダ又はモータ等のアクチュエータによって構成されている。伝達機構は、駆動源１３２の駆動力を上型４２に伝達し、上型４２を下型１５２に対して往復移動させる。伝達機構は上側ユニット１４０に連結されるラム部材１３４及びラム部材１３４と駆動源１３２との間に介在しラム部材１３４を往復動させる図示省略のカム機構等によって構成される。
【手続補正１６】
【補正対象書類名】明細書
【補正対象項目名】００９７
【補正方法】変更
【補正の内容】
【００９７】
なお、上側ユニット１４０においても上型４２は、上記上型ガイド部４４と同様の上型ガイド部（図示省略）にガイドされる。また、上型４２の上面には、下型１５２に対する上型４２の位置を調節可能な上記調節部の調節シャフトの側面が当接される。調節シャフトの側面は例えば中心に対して徐々に径が変わる渦巻状に形成される。これにより、調節シャフトを回転させることによって、調節シャフトの中心と上型４２の上面との間隔を調節可能となり、もって、下型１５２に対する上型４２の位置を調節可能とされる。
【手続補正１７】
【補正対象書類名】明細書
【補正対象項目名】０１０２
【補正方法】変更
【補正の内容】
【０１０２】
また支持治具装着部１８０は、２つの大きさの異なる直方体１８１ａ、１８１ｂが並ぶような形状に形成され、大きい直方体１８１ａの上面に支持治具１９０が支持されている。また、小さい直方体１８１ｂの先端に下型１５２が連結されている。この際、大きい直方体１８１ａの上面には、支持治具１９０に形成された凹部１９８に収まる凸部１８３が突設されている。当該凸部１８３及び凹部１９８は、上記凸部９８及び凹部８３に替わり、支持治具１９０と支持治具装着部１８０との位置決めを図るためのものである。図１８に示す例では、凸部１８３及び凹部１９８は、電線３の長手方向に沿って２つ設けられている。もっとも凸部１８３及び凹部１９８は、電線３の幅方向に沿って２つ設けられていてもよい。また、支持治具装着部１８０は、作業者が支持治具装着部１８０を移動させる際に把持する操作する操作部１８５を備えている。操作部１８５は例えば、Ｕ字棒状に形成されて、大きい直方体１８１ａの側面に突設されている。
【手続補正１８】
【補正対象書類名】明細書
【補正対象項目名】０１０４
【補正方法】変更
【補正の内容】
【０１０４】
図１６は、支持治具１９０を示す分解斜視図である。支持治具装着部１８０に装着される支持治具１９０の主な変更点は、第２部材１９４が第２部材９４よりも長尺とされている点が挙げられる。この際、第１溝１９５は、第１溝９５と異なり、第２部材１９４の長手方向中間部の位置までしか延びていない。第２溝１９６は、第２溝９６と同様に第２部材１９４の一端から他端まで全体に亘って延びている。また、上述したように第２部材１９４には凸部９８に替わり凹部１９８が形成されている。なおこここでは凹部１９８は貫通孔状に形成されているが有底に形成されていてもよい。さらに、第２部材１９４にはロック受部１９９が形成されている。
【手続補正１９】
【補正対象書類名】図面
【補正対象項目名】図２
【補正方法】変更
【補正の内容】
【図２】
2019192659.tif 000001
【手続補正２０】
【補正対象書類名】図面
【補正対象項目名】図９
【補正方法】変更
【補正の内容】
【図９】
2019192659.tif 000002